(57)【要約】【課題】商品の販売を目的としてユーザに提供する情報を制御して管理する情報処理システムであって、店舗での売上向上が期待できる情報処理システムを提供することを課題としている。【解決手段】情報処理サーバ６と、該情報処理サーバ６とネットワーク１を介して接続された店舗側端末９，３７と、該情報処理サーバ６とネットワーク１を介して接続されたユーザ端末４とを備え、前記情報処理サーバ６は、記憶装置２２と、ユーザ用情報入出力手段２４と、店舗用情報入出力手段２６とを有し、ユーザ端末４を介して情報処理サーバ６にアクセスしてきたユーザを識別し、該ユーザが購入を検討している商品を選定商品として選定できる構成とし、該選定商品の少なくも一部に関する該店舗３内での販売情報を、上記店舗側端末９，３７を介してユーザに提供する。【選択図】図５
2015158893.tif 000002
【特許請求の範囲】
【請求項１】
商品の販売を目的としてユーザに提供する情報を制御して管理する情報処理システムであって、
情報処理サーバと、
該情報処理サーバとネットワークを介して接続された店舗側の情報端末である店舗側端末と、
該情報処理サーバとネットワークを介して接続され且つユーザの操作する情報端末であるユーザ端末とを備え、
前記情報処理サーバは、ユーザ情報及び商品情報が記憶された記憶装置と、ユーザ端末に対して商品の情報を出力するとともにユーザ端末からの情報が入力されるユーザ用情報入出力手段と、店舗側端末との間で情報の入出力がされる店舗用情報入出力手段とを有し、
前記店舗側端末は、ユーザが操作可能なように構成され、
前記ユーザ用情報入出力手段は、ユーザ端末を介して情報処理サーバにアクセスしてきたユーザを、記憶装置に記憶されているユーザ情報に基づいて識別し、該識別されたユーザがユーザ端末を介して購入を検討している商品を選定できる構成とし、該選定された商品である選定商品を、該ユーザのユーザ情報の一部として、記憶装置に記憶し、
前記店舗用情報入出力手段は、店舗側端末を操作しているユーザを、記憶装置に記憶されているユーザ情報に基づいて識別し、該識別されたユーザが選定した選定商品が存在する場合に該選定商品の少なくも一部について、該店舗内での販売情報を、該店舗側端末を介してユーザに提供する
ことを特徴とする情報処理システム。
【請求項２】
上記店舗用情報入出力手段は、上記識別されたユーザが選定した選定商品中から、店舗側端末の該店舗内で販売されている選定商品を選択し、該選択された選定商品の該店舗内での販売情報を、該店舗側端末を介してユーザに提供する
請求項１に記載の情報処理システム。
【請求項３】
上記販売情報には、選定商品が表示されている店舗側端末の該店舗内で該選定商品が販売されている場合には、該選定商品の該店舗内での販売場所が含まれる
請求項１又は２の何れかに記載の情報処理システム。
【請求項４】
上記選定商品の対象となる商品の種類には、少なくとも本が含まれる
請求項１又は３の何れかの記載の情報処理システム。
【請求項５】
上記ユーザ情報には、ユーザ端末を介してユーザに販売した商品の履歴情報であるネット販売履歴情報と、店舗で該ユーザに販売した商品の履歴情報である店舗販売履歴情報とが含まれ、
前記ユーザ用情報入出力手段は、ユーザのネット販売履歴情報及び店舗販売履歴情報に基づいて、該ユーザに推薦する一又は複数の商品を、ユーザ端末に提供する
請求項１乃至４の何れかに記載の情報処理システム。
【請求項６】
前記ユーザ用情報入出力手段は、ユーザが、ユーザ端末を介して、推薦商品中から購入を検討している商品を、上記選定商品として、選定できる構成とした
請求項５に記載の情報処理システム。
【請求項７】
前記店舗側端末は、前記情報処理サーバとネットワークを介して接続され且つユーザに操作可能な状態で店舗内に設置された店舗端末である
請求項１乃至６の何れかに記載の情報処理システム。
【請求項８】
前記店舗側端末は、前記情報処理サーバとネットワークを介して接続され且つユーザが店舗側で操作可能な携帯端末であり、
該携帯端末は、店舗を識別する店舗識別手段を有する
請求項１乃至６の何れかに記載の情報処理システム。
【発明の詳細な説明】
【技術分野】
【０００１】
この発明は、商品の販売を目的としてユーザに提供する情報を制御して管理する情報処理システムに関する。
【背景技術】
【０００２】
情報処理サーバと、該情報処理サーバとネットワークを介して接続された店舗側の情報端末である店舗端末と、該情報処理サーバとネットワークを介して接続され且つユーザの操作する情報端末であるユーザ端末とを備え、前記情報処理サーバは、ユーザ情報及び商品情報が記憶された記憶装置と、ユーザ端末に対して商品の情報を出力するとともにユーザ端末からの情報が入力されるユーザ用情報入出力手段と、店舗側端末との間で情報の入出力がされる店舗用情報入出力手段とを有し、ユーザ端末に対して、販売促進のための各種情報を提供する情報処理システムが公知になっている（例えば、特許文献１を参照。）。
【先行技術文献】
【特許文献】
【０００３】
【特許文献１】特開２０１３−２３９１６０号公報
【発明の概要】
【発明が解決しようとする課題】
【０００４】
上記文献の情報処理システムは、ユーザに対してネット上で販売した商品の販売履歴であるネット販売履歴情報と、店舗で販売した商品の販売履歴である店舗販売履歴情報とを利用して、推薦商品を選択し、この推薦商品の情報を、上記ユーザに対して提供するものであり、自身の購入履歴に基づく有意義な商品の推薦を行えるため、売上の向上が期待できる反面、近年、問題になっている店舗での売上状況の低下については、対処が不十分であるという問題がある。
【０００５】
本発明は、商品の販売を目的としてユーザに提供する情報を制御して管理する情報処理システムであって、店舗での売上向上が期待できる情報処理システムを提供することを課題としている。
【課題を解決するための手段】
【０００６】
上記課題を解決するため、本発明の情報処理システムは、商品の販売を目的としてユーザに提供する情報を制御して管理する情報処理システムであって、情報処理サーバと、該情報処理サーバとネットワークを介して接続された店舗側の情報端末である店舗側端末と、該情報処理サーバとネットワークを介して接続され且つユーザの操作する情報端末であるユーザ端末とを備え、前記情報処理サーバは、ユーザ情報及び商品情報が記憶された記憶装置と、ユーザ端末に対して商品の情報を出力するとともにユーザ端末からの情報が入力されるユーザ用情報入出力手段と、店舗側端末との間で情報の入出力がされる店舗用情報入出力手段とを有し、前記店舗側端末は、ユーザが操作可能なように構成され、前記ユーザ用情報入出力手段は、ユーザ端末を介して情報処理サーバにアクセスしてきたユーザを、記憶装置に記憶されているユーザ情報に基づいて識別し、該識別されたユーザがユーザ端末を介して購入を検討している商品を選定できる構成とし、該選定された商品である選定商品を、該ユーザのユーザ情報の一部として、記憶装置に記憶し、前記店舗用情報入出力手段は、店舗側端末を操作しているユーザを、記憶装置に記憶されているユーザ情報に基づいて識別し、該識別されたユーザが選定した選定商品が存在する場合に該選定商品の少なくも一部について、該店舗内での販売情報を、該店舗側端末を介してユーザに提供することを特徴とする情報処理システム。
【０００７】
上記店舗用情報入出力手段は、上記識別されたユーザが選定した選定商品中から、店舗側端末の該店舗内で販売されている選定商品を選択し、該選択された選定商品の該店舗内での販売情報を、該店舗側端末を介してユーザに提供するものとしてもよい。
【０００８】
上記販売情報には、選定商品が表示されている店舗側端末の該店舗内で該選定商品が販売されている場合には、該選定商品の該店舗内での販売場所が含まれるものとしてもよい。
【０００９】
上記選定商品の対象となる商品の種類には、少なくとも本が含まれるものとしてもよい。
【００１０】
上記ユーザ情報には、ユーザ端末を介してユーザに販売した商品の履歴情報であるネット販売履歴情報と、店舗で該ユーザに販売した商品の履歴情報である店舗販売履歴情報とが含まれ、前記ユーザ用情報入出力手段は、ユーザのネット販売履歴情報及び店舗販売履歴情報に基づいて、該ユーザに推薦する一又は複数の商品を、ユーザ端末に提供するものとしてもよい。
【００１１】
前記ユーザ用情報入出力手段は、ユーザが、ユーザ端末を介して、推薦商品中から購入を検討している商品を、上記選定商品として、選定できる構成としたものとしてもよい。
【００１２】
前記店舗側端末は、前記情報処理サーバとネットワークを介して接続され且つユーザに操作可能な状態で店舗内に設置された店舗端末であるものとしてもよい。
【００１３】
前記店舗側端末は、前記情報処理サーバとネットワークを介して接続され且つユーザが店舗側で操作可能な携帯端末であり、該携帯端末は、店舗を識別する店舗識別手段を有するものとしてもよい。
【発明の効果】
【００１４】
ユーザが、ユーザ端末を介して、事前に、購入を検討している商品を選定商品として選定した状態で、店舗を訪れた場合、店舗側端末を介して、上記ユーザには、上記選定商品のその店舗での販売情報が提供されるため、店舗での販売促進への寄与が期待できる。
【図面の簡単な説明】
【００１５】
【図１】本発明を適用した情報処理システムの概念図である。
【図２】ユーザ端末及び店舗端末に表示されるログイン画面である。
【図３】（Ａ），（Ｂ）はそれぞれユーザ端末に表示されるトップ画面及び商品情報表示画面である。
【図４】（Ａ），（Ｂ）はそれぞれ店舗端末に表示されるトップ画面及び商品情報表示画面である。
【図５】本情報処理システムの情報処理内容を示す説明図である。
【図６】情報処理サーバの構成を示すブロック図である。
【図７】記憶装置に構築されたデータベース構造を示す説明図である。
【図８】ユーザ端末に表示する目的でユーザ用情報入出力手段が行うお気に入り商品の情報取得の処理フロー図である。
【図９】店舗端末に表示する目的で店舗用情報入出力手段が行うお気に入り商品の情報取得の処理フロー図である。
【図１０】ユーザ端末に表示する目的でユーザ用情報入出力手段が行うレコメンド商品の情報取得の処理フロー図である。
【図１１】店舗端末に表示する目的で店舗用情報入出力手段が行うレコメンド商品の情報取得の処理フロー図である。
【図１２】本発明の別実施形態の構成を示す情報処理システムの概念図である。
【図１３】図１２に示す情報処理システムの情報処理内容を示す説明図である。
【図１４】図１２に示す情報処理サーバの構成を示すブロック図である。
【図１５】情報が埋め込まれた画像によって店舗を識別させる際の処理手順の少なくとも一部を示すフロー図である。
【図１６】図１２に示す情報処理システムの変形例の構成を示す説明図である。
【発明を実施するための形態】
【００１６】
図１は、本発明を適用した情報処理システムの概念図である。図示する情報処理システムは、インターネット等のグローバルなネットワーク１を介して、管理センタ２と、一又は複数の店舗３と、商品の購入する、或いは購入を検討する利用者であるユーザが操作する情報端末であるユーザ端末４とが、互いに、ＴＣＰ／ＩＰ等の汎用プロトコルで、通信可能に接続されている。
【００１７】
管理センタ２は、店舗３からの情報及びユーザ端末４からの情報を一括して処理する施設であり、この管理センタ２には、情報処理サーバ６と、ＰＯＳサーバ７とが各別に設置され、この情報処理サーバ６及びＰＯＳサーバ７は、管理センタ２内のローカルネットワークを介して互いに通信可能に接続されている。
【００１８】
店舗３は、商品を現実に販売する施設であり、この店舗３には、ＰＯＳレジ８と、ユーザが操作可能なように店舗３に設置された情報端末である店舗端末（店舗側端末）９とが各別に設置されている。このＰＯＳレジ８は、ＰＯＳサーバ７に通信可能に接続されている必要があり、店舗端末９は、情報処理サーバ６と通信可能に接続されている必要がある。
【００１９】
図示する例では、ＰＯＳレジ８及び店舗端末９は、それぞれネットワーク１を介して管理センタ２側と接続されて情報処理サーバ６及びＰＯＳサーバ７の両方と通信可能である。
【００２０】
店舗端末９は、ＣＰＵ、ＲＡＭ及びデータ記憶手段を有してＴＣＰ／ＩＰ通信可能なタッチパネル式の情報端末、汎用ＯＳを搭載したパソコン、或いは専用の通信端末であり、この店舗端末９は、タッチパネル操作や、キーボード操作や、マウス操作等によって操作される。
【００２１】
ＰＯＳレジ８は、ＰＯＳシステムに対応したレジ端末であり、上記ＰＯＳサーバ７と共にＰＯＳシステムを構成している。そして、各店舗３に設置されたそれぞれのＰＯＳレジ８からの販売情報が、ＰＯＳサーバ７に集められ、ＰＯＳサーバ７によって一括管理されている。
【００２２】
ちなみに「ＰＯＳ」とは「Ｐｏｉｎｔ  Ｏｆ  Ｓａｌｅ」の略であり、商品の販売時に販売活動に関する情報処理を行うことを意味し、これによって、各商品の販売状況や、各店舗での所定期間（一日、一週間又は一ヶ月）毎の売上額や、ユーザ毎の販売履歴等の販売に関する様々な販売情報が、データベースとしてまとめられ、管理される。このＰＯＳシステムについては、従来公知であるため、詳細な説明は割愛する。
【００２３】
ユーザ端末４は、ＣＰＵ、ＲＡＭ及びデータ記憶手段を有してＴＣＰ／ＩＰ通信可能なタッチパネル式の情報端末、スマートフォン、携帯電話または汎用ＯＳを搭載したパソコンであり、このユーザ端末４がユーザによって操作される。その操作手段としては、例えば、タッチパネル操作や、キーボード操作や、マウス操作等が考えられる。
【００２４】
上記情報処理サーバ６は、ユーザ端末４に対して、商品の情報や店舗の情報等の各種状況を提供する他、ユーザ端末４に対して、ネット販売環境を提供している。ユーザは、ユーザ端末４によって、情報処理サーバ６が提供するウェブサイトにアクセスし、このウェブサイト上で、各種情報を取得するとともに、各種商品を購入することができる。
【００２５】
ちなみに、このウェブサイト上（ネット上）でのユーザへの商品販売に関する情報も、ＰＯＳ情報として、情報処理サーバ６からＰＯＳサーバ７に送信され、該ＰＯＳサーバ７によって、一括管理される。
【００２６】
なお、情報処理サーバ６、ＰＯＳサーバ７及びＰＯＳレジ３において、ネット上での商品の販売履歴の情報（ネット販売履歴情報）及び店舗での商品の販売履歴（店舗販売履歴情報）を、ユーザ毎に、管理するため、ユーザには、情報処理サーバ６が提供するウェブサイトを利用するための個別のアカウント名と、該アカウント名を利用するためのパスワードとが発行されるとともに、店舗３での購入時に提示する会員カード、或いはＩＣチップ等の記憶媒体に記憶可能なユーザの識別情報などが提供される。
【００２７】
これによって、ユーザが店舗３での商品購入時に会員カードやＩＣチップを提示する行為や、情報処理サーバ６が提供するウェブサイトへのアクセス時に入力されるアカウント名及びパスワードによって、情報処理サーバ６、ＰＯＳサーバ７又はＰＯＳレジ３において、該ユーザの識別を行うことが可能になる。
【００２８】
図２は、ユーザ端末及び店舗端末に表示されるログイン画面である。ユーザがユーザ端末４によって、情報処理サーバ６から提供されるウェブサイトにアクセスすると、ユーザ端末４の画面上のブラウザには、ログイン画面１１が表示される。
【００２９】
ユーザが、上記ログイン画面１１のアカウント名入力欄１２に上記アカウント名を入力するとともに、パスワード入力欄１３に上記パスワードを入力し、ログインボタン１４をクリックすると、情報処理サーバ６は、入力されたアカウント名に対応するパスワードが入力されたか否かを確認し、入力されていれば該アカウント名を有するユーザと判断してログイン処理を行い、このユーザの操作するユーザ端末４に対して、トップ画面１６（図３参照）を表示する。一方、アカウント名に対応するパスワードが入力されていない場合には、ログインを許可せず、再度の入力を促す。
【００３０】
図３（Ａ），（Ｂ）はそれぞれユーザ端末に表示されるトップ画面及び商品情報表示画面である。同図（Ａ）に示す通り、ユーザ端末４に表示されるトップ画面１６には、ネット上又は店舗３で販売している商品を文字検索するためのキーワード入力欄１６ａと、該キーワード入力欄１６ａに入力されたキーワードから商品の検索を行う検索ボタン１６ｂと、販売している商品をカテゴリ検索するために商品カテゴリが表示される商品カテゴリ表示欄１６ｃと、ログインしているユーザに推薦する一又は複数の商品（推薦商品，レコメンド商品）を表示するレコメンド商品表示欄１６ｄと、ユーザが購入を検討する商品として選定した一又は複数のお気に入り商品（選定商品）を表示するお気に入り商品表示欄１６ｅと、ログアウト処理を行うためのログアウトボタン１６ｆとが設けられている。
【００３１】
カテゴリ商品表示欄１６ｃには、最初は、最も上位概念の商品カテゴリが複数表示され、その内の１つをクリック（選択）すると、クリックした商品カテゴリ中で、さらに具体的な下位概念の商品カテゴリが複数表示され、以下、順次具体化された商品カテゴリの選択を、実際の商品名が表示されるまで繰返し、これによって、商品検索を行う。言換えると、商品カテゴリは、抽象・具体化によって階層管理され、ユーザの商品検索が行いやすくなっている。
【００３２】
例えば、店舗販売している商品及びネット販売している商品の種類が「本」である場合には、最初に表示される商品カテゴリとしては、「書籍」、「雑誌」等のカテゴリ名が考えられ、このなかでも「書籍」を選択した場合には、「実用書」、「文庫」、「文芸」等のさらに具体的なカテゴリ名が表示される一方で、「雑誌」を選択した場合には、「コミック」、週刊誌や月刊誌等の「雑誌」等のさらに具体的なカテゴリ名が表示され、このカテゴリ名の名前や階層を工夫することで、良好な検索環境をユーザに提供できる。
【００３３】
レコメンド商品表示欄１６ｄには、ログインしているユーザにおける上述したネット販売履歴情報及び店舗販売履歴情報に基づいて、そのユーザに推薦する一又は複数の商品を、レコメンド商品として、表示する。レコメンド手段は、特開２０１３−２３９１６０号公報にも示す通り、従来公知のものを用いるため、具体的な内容は説明を省略する。
【００３４】
以上のように、文字検索による商品検索、商品カテゴリを利用した商品検索、表示されたレコメンド商品又はお気に入り商品からの商品検索等によって、ユーザが購入を検討したい商品を検索可能であり、このようにして検索された商品中から一の具体的な商品をクリック（選択）すると、商品情報表示画面１７が表示される。
【００３５】
図３（Ｂ）に示す通り、ユーザ端末４に表示される商品情報表示画面１７には、商品の名称である商品名が表示される商品名表示欄１７ａと、該商品の写真が表示される商品写真表示欄１７ｂと、該商品の説明等を含む商品情報が表示された商品情報表示欄１７ｃと、該商品の価格が表示される商品価格表示欄１７ｄと、ネット上での該商品の購入手続に進む購入ボタン１７ｅと、該商品のネット上又は店舗での購入を検討する、或いは検討する余地のある商品を、お気に入り商品として選定するチェックボックス（選定手段）１７ｆとが設けられている。
【００３６】
なお、商品写真表示欄１７ｂに、商品の写真を掲載せずに、省略することも可能である。例えば、商品が本である場合、本の写真を掲載してもよいが、不要の場合には、省略してもよい。
【００３７】
チェックボックス１７ｆは、その商品がお気に入り商品であるか否かを示し、このチェックボックス１７ｆのチェックを外すことにより、そのユーザのお気に入り商品ではなくなり、逆に、チェックを付けることにより、そのユーザのお気に入り商品となる。
【００３８】
上述した通り、レコメンド商品表示欄１６ｄに表示されているレコメンド商品中から１つの商品をクリック（選択）して、該商品を、商品情報表示画面１７に表示させた場合、チェックボックス１７ｆにチェックを入れることが可能であり、これによって、レコメント商品中からもお気に入り商品を選定することも可能である。
【００３９】
さらに、レコメント商品表示欄１６ｄに表示されているレコメント商品を、一操作で全て、お気に入り商品として、選択させる機能を設けてもよく、これによって、ユーザは、レコメント商品として勧められている商品を、お気に入り商品として、一気に選定可能となる。
【００４０】
図３（Ａ）に示すお気に入り商品表示欄１６ｅには、ログインしているユーザがお気に入り商品として選定した一又は複数の商品が表示される。また、このお気に入り商品をクリック（選択）した場合、上述したようにそのお気に入り商品が商品情報表示画面１７に表示される。
【００４１】
図４（Ａ），（Ｂ）はそれぞれ店舗端末に表示されるトップ画面及び商品情報表示画面である。ユーザは、店舗端末９を操作すると、最初にまず、ログイン画面１８が表示される。図２に示す通り、このログイン画面１８の構成は、上述したログイン画面１１と略同一の構成である。
【００４２】
そして、ユーザのアカウント名をアカウント名入力欄１２に、パスワードをパスワード入力欄１３にそれぞれ入力してログインボタン１４をクリックすることにより、情報処理サーバ６によるログイン処理が行われるが、ユーザに配布された会員カードや識別情報が記憶されたＩＣチップを利用して、このログイン作業を簡略化することも可能であり、この場合には、店舗端末９に、会員カードの情報を読取るカード読取装置又はＩＣチップの識別情報を読取る情報読取装置等が必要になる。
【００４３】
そして、ログイン処理が完了すると、店舗端末９には、トップ画面１９が表示される。図４（Ａ）に示す通り、このトップ画面１９も、上記トップ画面１６と略同一に構成され、具体的には、該トップ画面１９には、キーワード入力欄１９ａと、検索ボタン１９ｂと、商品カテゴリ表示欄１９ｃと、レコメンド商品表示欄１９ｄと、お気に入り商品表示欄１９ｅと、ログアウトボタン１９ｆとが含まれる。
【００４４】
このお気に入り商品欄１９ｅには、ユーザがユーザ端末４を介して選定したお気に入り商品も表示され、ネット上で、検討した商品の情報が、そのまま店舗３に設置された店舗端末９にも表示されるため、利便性が高く、店舗３内での効率的な商品検討を行うことが可能になる。
【００４５】
そして、文字検索による商品の検索、商品カテゴリを利用した商品の検索、表示されたレコメンド商品の確認又は表示されたお気に入り商品の確認を行うことにより、ユーザが購入を検討したい商品を検索することが可能であり、このようにして検索した商品中から１つの商品をクリック（選択）すると、商品情報表示画面２１が表示される。
【００４６】
図４（Ｂ）に示す通り、店舗端末９に表示される商品情報表示画面２１には、商品の名称である商品名が表示される商品名表示欄２１ａと、該商品の写真が表示される商品写真表示欄２１ｂと、該商品の説明等を含む商品情報が表示された商品情報表示欄２１ｃと、該商品の価格が表示される商品価格表示欄２１ｄと、該商品の該店舗端末９を設置した店舗３での販売情報（店舗内販売情報）を表示する店舗内販売情報表示欄２１ｇとが設けられている。
【００４７】
なお、商品写真表示欄２１ｂへの商品写真の掲載を省略することも可能であり、例えば、商品が本である場合、本の写真を掲載してもよいが、不要の場合には、その掲載を省略してもよい。
【００４８】
店舗内販売情報表示欄２１ｇには、商品の店舗端末９が設置された店舗３での販売の有無や、販売している場合の在庫状況や、店内での販売場所等の情報が表示される。
【００４９】
また、上述した通り、お気に入り商品欄１９ｅに表示されているお気に入り商品をクリックした場合には、該クリックしたお気に入り商品の情報が、商品情報表示画面２１に表示される。このため、ユーザは、ネット上で、選定したお気に入り商品の店舗３での上記販売情報を、店舗端末９から素早く検索可能であり、これによって、ユーザに店舗３での商品購入を促すことが可能になる。
【００５０】
図５は、本情報処理システムの情報処理内容を示す説明図である。上述した通り、情報処理サーバ６は、商品の情報と、ユーザが選定したお気に入り商品の情報と、ユーザの店舗販売履歴情報及びネット販売履歴情報とを有し、ユーザのユーザ端末４に対して、商品の情報と、該ユーザ自身が選定したお気に入り商品の情報と、該ユーザの店舗販売履歴情報及びネット販売履歴情報に基づいて選ばれるレコメンド商品の情報とを提供する。
【００５１】
ユーザは、ユーザ端末４を介して、情報が提供された商品及び提案されたレコメンド商品中から、お気に入り商品を、選定可能であり、この選定の度に、情報処理サーバ６の該ユーザに関するお気に入り商品の情報が更新される。
【００５２】
このようにして随時、最新の情報に更新されるユーザのお気に入り商品の情報と、該ユーザへのレコメンド商品の情報とは、このユーザが店舗端末９にログインした際に、該店舗端末９にも提供され、これによって、店舗３での商品の購入を、スムーズに行うことが可能になる。
【００５３】
次に、図６乃至図１１に基づいて、情報処理サーバ６の詳細を説明する。
【００５４】
図６は、情報処理サーバの構成を示すブロック図である。情報処理サーバ６は、データ記憶手段の一種である記憶装置２２と、ＰＯＳサーバ７との間でＰＯＳ情報等のやり取りを行うＰＯＳ情報入出力手段２３と、各ユーザ端末４との間で情報のやり取りを行うユーザ用情報入出力手段２４と、各店舗端末９との間で情報のやり取りを行う店舗用情報入出力手段２６とを備えている。
【００５５】
上記記憶装置２２には、データベースが構築され、アカウント名及びパスワードを登録した一又は複数のユーザに関する情報や、販売している商品の各種情報が記憶されている。商品の各種情報には、ユーザ毎に抽出可能な状態でデータベース化されたネット販売履歴情報及び店舗販売履歴情報が含まれている。記憶装置２２に記憶されるデータ内容については、後述する。
【００５６】
上記ユーザ用情報入出力手段２４は、情報処理サーバ６にアクセスしていたユーザ端末４に対して、上記ウェブサイトを提供して、上述したログイン画面１１、トップ画面１６及び商品情報表示画面１７などを表示し、該ユーザ端末４（ユーザ）に対して、上述した通り、商品の情報を提供する他、お気に入り商品を選定する環境や、商品のネット上での購入環境を提供する。
【００５７】
上記ＰＯＳ情報入出力手段２３は、店舗販売履歴情報の元になるＰＯＳ情報を、ＰＯＳサーバ７から受信するとともに、ユーザ端末４を介してアクセスしている各ユーザに対して、ユーザ用情報入出力手段２４から商品をネット販売した際のＰＯＳ情報を、ＰＯＳサーバ７に送信する。
【００５８】
上記店舗用情報入出力手段２６は、一又は複数の店舗３にそれぞれ設置された各店舗端末９に対して、上述したログイン画面１８、トップ画面１９及び商品情報表示画面２１などを表示し、店舗端末９を操作するユーザに対して、商品の情報を提供する他、お気に入り商品を含む商品の該店舗での販売情報を提供する。
【００５９】
このため、この店舗用情報入出力手段２６は、ウェブサーバによって構成してもよいが、この場合、店舗端末９のログイン画面１８、トップ画面１９及び商品情報表示画面２１などを表示するソフトは、ウェブブラウザによって構成され、それ以外の専用ソフトを用いる場合には、その専用ソフトに対応したプログラムによって、店舗用情報入出力手段２６を構成する。
【００６０】
図７は、記憶装置に構築されたデータベース構造を示す説明図である。記憶装置２２に構築されたデータベースは、ＭｙＳＱＬやＯｒａｃｌｅ等の従来公知のリレーショナブルデータベースを用い、該データベースは、ユーザのアカウント情報を記憶するアカウントテーブル２７と、各商品の主な情報を記憶する商品テーブル２８と、各カテゴリの主な情報を記憶するカテゴリテーブル２９と、店舗情報の主な情報を記憶する店舗テーブル３１と、お気に入り商品の情報を記憶するお気に入り商品テーブル３２と、ユーザ用情報入出力手段２４からのネット販売の情報を記憶するネット販売テーブル３３と、各店舗での販売の情報を記憶する店舗販売テーブル３４とを有している。
【００６１】
アカウントテーブル２７は、アカウントＩＤをイニシャルＩＤとして有し、その他のフィールドの項目として、上記アカウント名及びパスワードと、アカウント名及びパスワードを有するユーザの氏名であるユーザ名と、ユーザの住所や連絡先等を含む個人情報とを有している。
【００６２】
ユーザ用情報入出力手段２４及び店舗用情報入出力手段２６は、ユーザ端末４及び店舗端末９に表示されたログイン画面１１，１８に入力されるアカウント名及びパスワードと、上記アカウントテーブル２７の情報とに基づいて、ユーザの識別を行う。
【００６３】
カテゴリテーブル２９は、カテゴリＩＤをイニシャルＩＤとして有し、その他のフィールドの項目として、上述したカテゴリの名称であるカテゴリ名と、カテゴリの説明等を含むカテゴリ情報とを有している。
【００６４】
店舗テーブル３１は、店舗ＩＤをイニシャルＩＤとして有し、その他のフィールド項目として、店舗の名称である店舗名と、店舗に関する住所や連絡先等を含んだ店舗情報とを有している。
【００６５】
商品テーブル２８は、商品ＩＤをイニシャルＩＤとして有し、その他のフィールド項目として、商品名と、商品の属するカテゴリのカテゴリＩＤと、商品の説明や価格等が含まれる商品情報とを有している。上記フィールド項目により、商品テーブル２８とカテゴリテーブル２９とは、多対一のリレーションシップがされており、上記カテゴリＩＤから、そのカテゴリＩＤを有するカテゴリのカテゴリ名及びカテゴリ情報が取得・参照される。
【００６６】
お気に入り商品テーブル３２は、お気に入り商品ＩＤをイニシャルＩＤとして有し、その他のフィールド項目として、そのお気に入り商品を選定したユーザのアカウントＩＤと、選定したお気に入り商品の商品ＩＤとを有している。
【００６７】
これらのフィールド項目により、お気に入り商品テーブル３２とアカウントテーブル２７とは、多対一のリレーションシップがされるとともに、お気に入り商品テーブル３２と商品テーブル２８とは、多対一のリレーションシップがされる。
【００６８】
これによって、お気に入り商品テーブル３２の上記アカウントＩＤから、そのアカウントＩＤを有するユーザのアカウント名、ユーザ名及び個人情報が取得・参照されるとともに、お気に入り商品テーブル３２の上記商品ＩＤから、その商品ＩＤを有する商品の商品名及び商品情報が取得・参照される。
【００６９】
そして、該データ構造によって、選定されたお気に入り商品の情報が、ユーザ毎に整理可能な状態で、記憶装置２２に記憶される。ちなみに、上述した通り、ユーザ用情報入出力手段２４は、各ユーザのユーザ端末４に対して、トップ画面１６及び商品情報表示画面１７を表示させ、これによって、ユーザに、お気に入り商品の選定させている。
【００７０】
なお、前記店舗用情報入出力手段２６でも、ユーザが操作する店舗端末９に対して、トップ画面１９及び商品情報表示画面２１を表示させ、これによって、ユーザに、お気に入り商品の選定させてもよい。
【００７１】
ネット販売テーブル３３は、ネット販売ＩＤをイニシャルＩＤとして有し、その他のフィールド項目として、商品をネット上で購入したユーザのアカウントＩＤと、該商品の商品ＩＤと、該商品の販売日時とを有している。
【００７２】
これらのフィールド項目により、ネット販売テーブル３３とアカウントテーブル２７とは、多対一のリレーションシップがされるとともに、ネット販売テーブル３３と商品テーブル２８とは、多対一のリレーションシップがされる。
【００７３】
これによって、ネット販売テーブル３３の上記アカウントＩＤから、そのアカウントＩＤを有するユーザのアカウント名、ユーザ名及び個人情報が取得・参照されるとともに、ネット販売テーブル３３の上記商品ＩＤから、その商品ＩＤを有する商品の商品名及び商品情報が取得・参照される。
【００７４】
そして、該データ構造によって、上述したネット販売履歴情報が、ユーザ毎に整理可能な状態で、記憶装置２２に記憶される。
【００７５】
店舗販売テーブル３４は、店舗販売ＩＤをイニシャルＩＤとして有し、その他のフィールド項目として、商品を購入したユーザのアカウントＩＤと、該商品の商品ＩＤと、該商品を販売した店舗の店舗ＩＤと、該商品の販売日時とを有している。
【００７６】
これらのフィールド項目により、店舗販売テーブル３４とアカウントテーブル２７とは、多対一のリレーションシップがされ、店舗販売テーブル３４と商品テーブル２８とも、多対一のリレーションシップがされ、店舗販売テーブル３４と店舗テーブル３１とも、多対一のリレーションシップがされる。
【００７７】
これによって、店舗販売テーブル３４の上記アカウントＩＤから、そのアカウントＩＤを有するユーザのアカウント名、ユーザ名及び個人情報が取得・参照され、店舗販売テーブル３４の上記商品ＩＤから、その商品ＩＤを有する商品の商品名及び商品情報が取得・参照され、店舗販売テーブル３４の上記店舗ＩＤから、その店舗ＩＤを有する店舗の店舗命及び店舗情報が取得・参照される。
【００７８】
そして、該データ構造によって、上述した店舗販売履歴情報が、ユーザ毎に整理可能な状態で、記憶装置２２に記憶される。
【００７９】
また、各商品の店舗３での販売情報は、店舗３のＰＯＳレジ８や店舗端末９自体に記憶させて管理してもよいが、本例では、ＰＯＳサーバ上で、各店舗での販売商品毎の販売情報を記憶して管理しており、情報処理サーバ６は、該情報を、ＰＯＳ情報入出力手段２３を介して、取得する。なお、この情報を、店舗端末９に記憶して管理させる場合には、情報処理サーバ６は、店舗用情報入出力手段２６を介して、該情報を取得する。
【００８０】
さらに、各店舗３での販売商品毎の販売情報を、記憶装置２２に構築される上記データベースによって、管理させてもよい。
【００８１】
以上のようなデータベース構成では、ユーザに関する情報であるユーザ情報として、アカウントテーブル２７と、お気に入り商品テーブル３２と、ネット販売テーブル３３と、店舗販売テーブル３４等とが存在し、これらの情報が、ユーザ毎に整理可能になっている。
【００８２】
図８は、ユーザ端末に表示する目的でユーザ用情報入出力手段が行うお気に入り商品の情報取得の処理フロー図である。この処理は、ユーザのログインや、お気に入り商品の選定や、ネット上での購入処理や、トップ画面１６の表示内容の更新等に起因して開始され、該処理が開始されると、ステップＳ１に進む。
【００８３】
ステップＳ１では、ログイン時に識別されたユーザのお気に入り商品が存在するか否かを、お気に入り商品テーブル３２を参照することにより確認し、そのユーザのお気に入り商品が存在すれば、ステップＳ２に進み、存在しなければ処理を終了させる。ステップＳ２では、該ユーザの各お気に入り商品の情報を取得して、処理を終了させる。
【００８４】
このようにして、取得されたお気に入り商品の情報は、上述したように、トップ画面１６のお気に入り商品表示欄１６ｅに表示される。
【００８５】
図９は、店舗端末に表示する目的で店舗用情報入出力手段が行うお気に入り商品の情報取得の処理フロー図である。この処理は、ユーザの店舗端末９へのログインや、トップ画面１９の表示内容の更新等に起因して開始され、該処理が開始されると、ステップＳ１１に進む。
【００８６】
ステップＳ１１では、ログイン時に識別されたユーザのお気に入り商品が存在するか否かを、お気に入り商品テーブル３２を参照することにより確認し、お気に入り商品が存在すれば、ステップＳ１２に進み、存在しなければ処理を終了させる。ステップＳ１２では、該ユーザの各お気に入り商品の情報と、該各お気に入り商品の上記店舗端末９が設置された店舗３での販売情報を取得して、処理を終了させる。
【００８７】
このようにして、取得されたお気に入り商品の情報は、トップ画面１９のお気に入り商品表示欄１９ｅに表示されるとともに、店舗３での販売情報は、商品情報表示画面２１の店舗内販売情報表示欄２１ｇに表示される。
【００８８】
なお、表示させるお気に入り商品は、その店舗３で販売されている商品や、さらに在庫がある商品に限定してもよく、これによって、ユーザに対して、より快適な商品検索環境を提供できる。この他、その店舗３で在庫が無ければ、他の店舗３を紹介する等の表示や、取り寄せ等の案内の表示を行ってもよい。
【００８９】
図１０は、ユーザ端末に表示する目的でユーザ用情報入出力手段が行うレコメンド商品の情報取得の処理フロー図である。この処理は、ユーザのログインや、ネット上での購入処理や、トップ画面１６の表示内容の更新等に起因して開始され、該処理が開始されると、ステップＳ２１に進む
【００９０】
ステップＳ２１では、ログイン時に識別されたユーザのネット購入履歴の情報を、ネット販売テーブル３３から取得して、ステップＳ２２に進む。ステップＳ２２では、該ユーザの店舗購入履歴の情報を、店舗販売テーブル３４から取得して、ステップＳ２３に進む。ステップＳ２３では、ネット販売している（ユーザ用情報入力手段２４を介して販売している）商品の情報を取得し、ステップＳ２４に進む。
【００９１】
ちなみに、その時点でネット販売している商品は、ＰＯＳサーバ７に記憶させておいてもよいし、或いは、情報処理サーバ６の記憶装置２２にデータベース化した状態で記憶させてもよい。
【００９２】
ステップＳ２４では、ステップＳ２３で抽出したネット販売されている商品中から、ユーザのネット販売履歴及び店舗販売履歴の情報に基づいて、一又は複数のレコメンド商品の情報を選び、処理を終了させる。
【００９３】
このようにして、選ばれたレコメンド商品は、トップ画面１６のレコメンド商品表示欄１６ｄに表示される。なお、全商品中から、レコメンド商品を選んでもよく、このようにして選ばれた商品中に、該ネット販売していない商品が存在する場合には、その商品の取り寄せ処理や、店舗での販売情報を提示してもよい。
【００９４】
図１１は、店舗端末に表示する目的で店舗用情報入出力手段が行うレコメンド商品の情報取得の処理フロー図である。この処理は、ユーザのログインや、ネット上での購入処理や、トップ画面１９の表示内容の更新等に起因して開始され、該処理が開始されると、ステップＳ３１に進む
【００９５】
ステップＳ３１では、ログイン時に識別されたユーザのネット購入履歴の情報を、ネット販売テーブル３３から取得して、ステップＳ３２に進む。ステップＳ３２では、該ユーザの店舗購入履歴の情報を、店舗販売テーブル３４から取得して、ステップＳ３３に進む。ステップＳ３３では、該店舗端末９が設置された店舗３で販売している商品の情報を取得し、ステップＳ３４に進む。
【００９６】
ステップＳ３４では、ステップＳ３３で抽出した店舗販売されている商品中から、ユーザのネット販売履歴及び店舗販売履歴の情報に基づいて、一又は複数のレコメンド商品の情報を選び、処理を終了させる。
【００９７】
このようにして、選ばれたレコメンド商品は、トップ画面１９のレコメンド商品表示欄１９ｄに表示される。なお、全商品中から、レコメンド商品を選んでもよく、このようにして選ばれた商品中に、該店舗で販売していない商品が存在する場合には、その商品の取り寄せ処理や、他の店舗やネットでの販売情報を提示してもよい。
【００９８】
以上のように構成される情報処理システムによれば、ネット上での効率的な商品検索や商品購入に加えて、その際にお気に入り商品として選定した情報を、店舗３で、店舗端末９により、そのまま利用可能になるため、店舗３で快適な買い物を楽しむことが可能になり、店舗での販売が促進され、店舗のショールーム化のような事態も効率的に防止できる。
【００９９】
しかも、ネット販売と店舗販売の情報に基づいて選ばれたレコメンド商品は、ユーザにとって非常に有意義なものとなるため、この点からも、店舗３での商品販売が促進される。
【０１００】
なお、図示する例では、ＰＯＳサーバ７を別途設けているが、情報処理サーバ６にＰＯＳサーバ７の機能を付与するため、ＰＯＳレジ８と通信可能な状態でＰＯＳ情報処理手段３６を設け、これによって、ＰＯＳサーバ７を省いて、システム構成をよりシンプルにしてもよい。
【０１０１】
また、この情報処理システムで取扱う商品の種類は、基本的には制限されないが、ネット上で、全ての商品内容を公開すると、その価値が著しく低下するものは、ユーザが店舗を訪れることが必須になるため、このような商品に対しては、より顕著な効果を発揮することになる。その一例として、本を例に挙げたが、その他に、音楽ＣＤや、映画若しくはドラマのＤＶＤなどが考えられる。
【０１０２】
次に、図１２乃至図１５に基づき、本発明の別実施形態について、上述の形態と異なる点を説明する。
【０１０３】
図１２は、本発明の別実施形態を示す情報処理システムの概念図である。同図に示す例では、店舗３に固定的に設置された前記店舗端末９の代わりに、持ち運び可能な情報端末である携帯端末（店舗側端末）３７を用いる。
【０１０４】
この携帯端末３７は、インターネット１を介して情報処理サーバ６と接続されるとともに店舗３内でユーザが操作可能な情報端末であり、該携帯端末３７は、店舗端末９のように予め定められた店舗３に設置され、その状態で保持されるわけではなく、任意の店舗３で、自由に使用されることを前提としている。このため、店舗３に訪れたユーザのユーザ端末４を、携帯端末３７として用いてもよい。
【０１０５】
図１３は、図１２に示す情報処理システムの情報処理内容を示す説明図である。同図に示す通り、携帯端末３７の店舗側端末として用いた場合の情報処理の内容は、店舗端末９を店舗側端末として用いた場合と略同一である。
【０１０６】
ただし、上記した店舗端末９は、それが設置されている店舗３を、該店舗端末９の情報と共に情報処理サーバ６に事前に記憶させておくことが可能であるが、この携帯端末３７は、上述した通り、任意の店舗３で使用されることを前提としているので、情報処理サーバ６に、事前に、どの店舗３で携帯端末３７が使用されるかを登録しておくことは難しい。
【０１０７】
このため、この携帯端末３７によって、店舗端末９と同一の機能を実現させるためには、ユーザが携帯端末３７を操作する際に、該ユーザのいる店舗３を、その場で識別されることが必要であり、このため携帯端末３７には上記店舗３を識別するための店舗識別手段３７ａ（図１４参照）が設けられている。
【０１０８】
図１４は、図１２に示す情報処理サーバの構成を示すブロック図である。携帯端末３７に設けられた店舗識別手段３７ａは、例えば、ＧＰＳセンサ等の位置情報取得手段であってもよい。
【０１０９】
このＧＰＳセンサによって携帯端末３７の位置情報を取得すれば、その位置情報と同一又は近い場所にある店舗３を、今、そのユーザがいる店舗３であると識別し、それによって店舗３と識別できれば、店舗端末９の場合と同一の内容で、その後の処理を実行できる。
【０１１０】
ちなみに、この仕組みを実現させるためには、各店舗３の位置情報を、店舗３の情報と共に、情報処理サーバ６の記憶装置２２に、予め記憶されておく必要があり、これに伴って、携帯端末３７は、店舗３の識別を行う前に、情報処理サーバ６の有する情報にアクセス可能となるように、そのユーザによるログイン処理等を行い、そのユーザの情報処理サーバ６での識別を事前に完了させておく必要がある。
【０１１１】
また、店舗識別手段３７ａとして、規格化されたＢｌｕｅＴｏｏｔｈ（登録商標）や、Ｗｉｆｉ（登録商標）等の無線通信手段を設けてもよい。これによって、店舗３のローカルネットワークに接続されれば、そのローカルネットワークに接続された各種コンピュータ等から、その店舗３の情報を取得し、これによって、該携帯端末３７を操作するユーザがいる店舗３を識別できる。
【０１１２】
さらに、店舗識別手段３７ａとして、カメラ等のバーコード情報読取手段を設けてもよい。この場合、その店舗３であることを識別するための情報が埋込まれた１次元バーコードや２次元バーコードの画像を、該店舗３内に設置したＰＯＳレジ８の表示画面や、その他の表示画面に表示させ、この情報が埋め込まれた画像を、携帯端末３７によって読取ることにより、該携帯端末３７がその店舗３の識別を行う。ちなみに、この画像を紙媒体等に印刷して店舗３内に掲示させてもよいが、上記した表示画面に表示させた方が、手間を掛けずに画像の更新が可能になる。
【０１１３】
なお、このように画像を用いて店舗３の識別を行わせる場合、店舗３に訪れたユーザは、該店舗３内の表示画面に表示させた上記画像を、携帯端末３７によって撮影し、その場では商品情報等の検索を行わず、該店舗３を離れた後に、この店舗３の商品情報等の検索を行うことも理論的には可能性であるが、これでは、各ユーザへの店舗３内での販売を促進するという目的を達成するには不十分である。
【０１１４】
このため、情報を埋め込まれた画像を店舗３内に表示させることにより、該店舗３の識別を行わせる場合には、上記した他の手段と比べて、そのユーザがその店舗３にいるか否かを、より厳密に判断する必要がある。
【０１１５】
図１５は、情報が埋め込まれた画像によって店舗を識別させる際の処理手順の少なくとも一部を示すフロー図である。同図に示す処理（店舗識別処理）は、携帯端末３７によって行わせもよいし、或いは情報処理サーバ６の店舗用情報入出力手段２６によって行わせてもよい。また、上記一次元バーコードや二次元バーコード等の画像には、店舗３を識別させる店舗情報と共に、その画像を生成した時刻等を示す時間情報を埋め込む。
【０１１６】
そして、店舗識別処理が開始されると、ステップＳ４１に進む。ステップＳ４１では、上記画像に埋め込まれた店舗３の情報を取得し、ステップＳ４２に進む。ステップＳ４２では、上記画像に埋め込まれた時間情報を取得し、ステップＳ４３に進む。
【０１１７】
ステップＳ４３では、ステップＳ４２に取得した時間情報から、その画像が生成された時刻と、その時点での時刻とを比較し、その判断の結果、両者の時間差が小さく、そのユーザがその店舗３内でリアルタイムに検索等の作業を実行しようとしていると考えられる場合には、ステップＳ４４に進む一方で、両者の時間差が大きく異なっており、そのユーザがその店舗３内でリアルタイムに検索等の作業を実行しようとしているとは考えられない場合には、ステップＳ４５に進む。
【０１１８】
ちなみに、ユーザが店舗３にいるか否かを判断する際に基準とする時間差（基準時間差）は、店舗３に表示させる一次元バーコードや二次元バーコード等の画像の更新間隔に基づいて定めることが可能である。
【０１１９】
例えば、上記画像を１日毎に更新する場合、基準時間差を１日とし、ステップＳ４３において、ユーザが携帯端末３７によって店舗３の商品等の検索を試みている時刻と、該店舗３で上記画像を生成した時刻との時間差が、基準時間差である１日よりも長い場合には、このユーザは既に該店舗３にはいないと判断して、ステップＳ４５に進む一方で、該時間差が基準時間差と同一か、それよりも短い場合には、このユーザが該店舗３にいると判断して、ステップＳ４４に進む。
【０１２０】
また、店舗３で画像を更新する期間を、地域や季節等の時期によって変更してもよく、例えば、半日単位とか、数時間単位とか、１時間単位とか、数十分単位に変更することが可能であり、このようにして定めた更新期間毎に、店舗３に表示する画像を更新する。ちなみに、この更新期間を店舗３毎に各別に設定することも勿論可能である。
【０１２１】
ステップＳ４４では、そのユーザが店舗３側にいるものとして、正常処理を行い、このルーチン処理を終了させる。この正常処理の後は、図４に示すような画面を携帯端末３７に表示させる。一方、ステップＳ４５では、そのユーザが店舗３にはいないものとして、エラー処理を行い、このルーチン処理を終了させる。このエラー処理の後は、ユーザが操作している携帯端末３７に対して、再度の店舗３内での画像の読取り等を促す画面表示等を行う。
【０１２２】
なお、この１次元や２次元のバーコード等の画像には、店舗３を識別するための情報や、時間の情報等の他、その店舗３で販売している商品の情報を埋込んでもよい。
【０１２３】
以上のように構成される情報処理システムによれば、店舗３に店舗端末９を設ける必要がなくなり、店内のスペースを広く使うことも可能になる他、ユーザの持っているユーザ端末４によっても、この携帯端末３７の役割を果たせるため、利便性が高い。
【０１２４】
なお、図１４に示す例では、店舗端末９の代わりに携帯端末３７を用いる例について説明したが、図１６に示す通り、店舗端末９及び携帯端末３７の両方を、店舗側端末として用いてもよい。
【符号の説明】
【０１２５】
１  ネットワーク（インターネット）
３  店舗（店舗側端末）
４  ユーザ端末
６  情報処理サーバ
９  店舗端末
２２  記憶装置
２４  ユーザ用情報入出力手段
２６  店舗用情報入出力手段
３７  携帯端末（店舗側端末）
【図１】
2015158893.tif 000003
【図２】
2015158893.tif 000004
【図３】
2015158893.tif 000005
【図４】
2015158893.tif 000006
【図５】
2015158893.tif 000007
【図６】
2015158893.tif 000008
【図７】
2015158893.tif 000009
【図８】
2015158893.tif 000010
【図９】
2015158893.tif 000011
【図１０】
2015158893.tif 000012
【図１１】
2015158893.tif 000013
【図１２】
2015158893.tif 000014
【図１３】
2015158893.tif 000015
【図１４】
2015158893.tif 000016
【図１５】
2015158893.tif 000017
【図１６】
2015158893.tif 000018